(57)【要約】【課題】ほこりセンサのレンズ位置やレンズの汚れ状態が見易く、メンテナンス作業が容易に行うことのできる空気清浄機を提供することを目的としている。【解決手段】ほこりセンサ５のレンズ１１を照らす白色ＬＥＤ６と、ほこりセンサカバー１２の着脱を検出するほこりセンサカバー着脱検出スイッチ１３を設け、カバーが無い状態時に白色ＬＥＤ６を点灯することで、レンズの正確な位置とレンズの汚れ状態を見ることができ、メンテナンス作業が容易に行うことのできる空気清浄機が得られる。【選択図】図１
2011099603.tif 000002
【特許請求の範囲】
【請求項１】
本体に設けた吸気口と、この吸気口から吸気した汚れ空気を清浄化する浄化装置と、この浄化装置に通風する送風装置と、発光素子と受光素子とレンズから構成され空気中の汚れ成分を検出するほこりセンサを備えた空気清浄機において、前記ほこりセンサのレンズを照らす照明装置と、本体の所定の状態を検知する状態検知手段とを設け、前記状態検知手段が所定の状態を検知したときに前記ほこりセンサのレンズを照らすことを特徴とする空気清浄機。
【請求項２】
ほこりセンサカバーと、このほこりセンサカバーの着脱を検出するスイッチを備え、前記ほこりセンサカバーを外した場合に前記スイッチにより照明装置を点灯させる請求項１記載の空気清浄機。
【請求項３】
本体の倒れを検出する転倒検出装置を備え、前記転倒検出装置が本体の倒れを検出した場合に前記転倒検出装置により照明装置を点灯させる請求項１記載の空気清浄機。
【請求項４】
電池を備え、照明装置の電源を前記電池から供給するようにしたことを特徴とする請求項２または３記載の空気清浄機。
【請求項５】
電池は充電池とし、空気清浄機本体の運転中に前記充電池を充電するようにしたことを特徴とする請求項４に記載の空気清浄機。
【請求項６】
ほこりセンサの電源電圧を検出する電圧検出装置を備え、ほこりセンサの電源が遮断されている場合に、照明装置を点灯可能とさせる請求項４または５に記載の空気清浄機。  
【請求項７】
ほこりセンサの電源が通電されている場合は、照明装置を点滅させるようにしたことを特徴とする請求項４または５記載の空気清浄機。
【請求項８】
照明装置の点灯時間は、状態検知手段が所定の状態を検知したときから一定時間のみ点灯するようにしたことを特徴とする請求項１または３に記載の空気清浄機。
【請求項９】
ほこりセンサのレンズのメンテナンス時期を決定する汚れ積算タイマーと、メンテナンス時期を知らせる報知装置を備えたことを特徴とする請求項２から８いずれか一つに記載の空気清浄機。
【請求項１０】
汚れ積算タイマーにより、ほこりセンサのレンズのメンテナンス時期に到達した場合のみ、照明装置を点灯するようにしたことを特徴とする請求項９に記載の空気清浄機。
【請求項１１】
照明装置の明るさを調整することができるボリュームスイッチを備えたことを特徴とする請求項２から１０いずれか一つに記載の空気清浄機。
【請求項１２】
手動で照明装置を点灯させることができるＯＮスイッチを備えたことを特徴とする請求項２から１１いずれか一つに記載の空気清浄機。
【発明の詳細な説明】
【技術分野】
【０００１】
本発明は、ほこりセンサにより室内の空気汚れを検出し、送風手段を駆動して室内空気を吸い込み、浄化手段を通して清浄化する空気清浄機に関するものである。
【背景技術】
【０００２】
従来、この種の空気清浄機は下記に記載されたものが知られている（例えば、特許文献１参照）。
【０００３】
以下、その空気清浄について図１８および図１９を参照しながら説明する。
【０００４】
図１８に示すように空気清浄機本体１０１には、空気を清浄化するためのフィルター１０２と、フィルター１０２に通風するファンモーター１０３と、空気の汚れを検出するほこりセンサ１０４を設けている。そして、このほこりセンサ１０４は、吸い込み口１０９の下端部である空気清浄機本体１０１の側面下部に備え付けてあった。
【０００５】
また、このような空気清浄機に使用されるほこりセンサは図１９に示すものが知られている（例えば、特許文献２参照）。
【０００６】
図１９に示すようにほこりセンサ１０４は、発光素子１０５と、受光素子１０６と、レンズ１０７を備え、これらは、中央を貫通する空気の通過開口を有する箱体の内部に配置され、前記通過開口を通過する空気に含まれるほこりを検知するものであった。そしてこの通過開口は内部の発光素子１０５と受光素子１０６を掃除するときの清掃具導入孔１０８を兼ねていた。
【０００７】
上記構成において、ほこりセンサ１０４は発光素子１０５からの照射光をほこりに照射し、ほこりからの反射光をレンズ１０７を通して受光素子１０６で受光して、ほこりを検出している。また、清掃具導入孔１０８から清掃具を入れ、長期にわたる使用によってほこりセンサ１０４のレンズ１０７に蓄積した付着物を除去する。
【先行技術文献】
【特許文献】
【０００８】
【特許文献１】特開２００８−２３９７０号公報
【特許文献２】特開２００８−６７９７４号公報
【発明の概要】
【発明が解決しようとする課題】
【０００９】
このような従来の空気清浄機では、ほこりセンサは、空気清浄機本体の背面側下部に備えられ、かつ箱体の内部に配置したほこりセンサはレンズの位置やレンズの汚れ状態が見え難いため、メンテナンス作業に手間がかかるという課題があり、メンテナンス作業が容易に実行できることが要求されている。
【００１０】
本発明は、このような従来の課題を解決するものであり、ほこりセンサのレンズの位置やレンズの汚れ状態が見易く、メンテナンス作業が容易に行うことのできる空気清浄機を提供することを目的としている。
【課題を解決するための手段】
【００１１】
本発明の空気清浄機は上記目的を達成するために、本体に設けた吸気口と、この吸気口から吸気した汚れ空気を清浄化する浄化装置と、この浄化装置に通風する送風装置と、発光素子と受光素子とレンズから構成され空気中の汚れ成分を検出するほこりセンサを備えた空気清浄機において、前記ほこりセンサのレンズを照らす照明装置と、本体の所定の状態を検知する状態検知手段とを設け、前記状態検知手段が所定の状態を検知したときに前記ほこりセンサのレンズを照らすようにしたものである。
【００１２】
この手段により、ほこりセンサのメンテナンス作業時にほこりセンサのレンズを照らすことで、レンズの正確な位置とレンズの汚れ状態を見ることができ、メンテナンス作業が容易に行うことのできる空気清浄機が得られる。
【００１３】
また、本発明の空気清浄機は、ほこりセンサカバーと、このほこりセンサカバーの着脱を検出するスイッチを備え、前記ほこりセンサカバーを外した場合に前記スイッチにより照明装置を点灯させるようにしたものである。
【００１４】
この手段により、ほこりセンサのメンテナンス作業時にほこりセンサカバーをはずすことで、自動的にほこりセンサのレンズを照らすことができ、レンズの正確な位置とレンズの汚れ状態を見ることができ、メンテナンス作業が容易に行うことのできる空気清浄機が得られる。
【００１５】
また、本発明の空気清浄機は、本体の倒れを検出する転倒検出装置を備え、前記転倒検出装置が本体の倒れを検出した場合に前記転倒検出装置により照明装置を点灯させるようにしたものである。
【００１６】
この手段により、ほこりセンサのメンテナンス作業時に空気清浄機本体を倒して作業を行う状態を検出することで、自動的にほこりセンサのレンズを照らすことができ、レンズの正確な位置とレンズの汚れ状態を見ることができ、メンテナンス作業が容易に行うことのできる空気清浄機が得られる。
【００１７】
また、本発明の空気清浄機は、電池を備え、照明装置の電源を前記電池から供給するようにしたものである。
【００１８】
この手段により、空気清浄機本体の電源プラグを抜いた状態においても、ほこりセンサのメンテナンス作業を行うことのできる空気清浄機が得られる。
【００１９】
また、本発明の空気清浄機は、電池は充電池とし、空気清浄機本体の運転中に前記充電池を充電するようにしたものである。
【００２０】
この手段により、電池交換が無くなることでランニングコストを抑えることのできる空気清浄機が得られる。
【００２１】
また、本発明の空気清浄機は、ほこりセンサの電源電圧を検出する電圧検出装置を備え、ほこりセンサの電源が遮断されている場合に、照明装置を点灯可能とさせるようにしたものである。
【００２２】
この手段により、ほこりセンサのメンテナンス作業による誤検知、誤動作を防止することができる空気清浄機が得られる。
【００２３】
また、本発明の空気清浄機は、ほこりセンサの電源が通電されている場合は、照明装置を点滅させるようにしたものである。
【００２４】
この手段により、ほこりセンサの通電を使用者が知ることができ、ほこりセンサのメンテナンス作業による誤検知、誤動作を防止することができる空気清浄機が得られる。
【００２５】
また、本発明の空気清浄機は、照明装置の点灯時間は、状態検知手段が所定の状態を検知したときから一定時間のみ点灯するようにしたものである。
【００２６】
この手段により、誤操作などメンテナンス作業を意図していない場合に照明装置が常時点灯し続けることを防ぐことができる空気清浄機が得られる。
【００２７】
また、本発明の空気清浄機は、ほこりセンサのレンズのメンテナンス時期を決定する汚れ積算タイマーと、メンテナンス時期を知らせる報知装置を備えるようにしたものである。
【００２８】
この手段により、使用者がほこりセンサのレンズのメンテナンス時期を容易に知ることができ、また汚れたレンズで運転されることによるほこりセンサの感度低下を防ぐことができる空気清浄機が得られる。
【００２９】
また、本発明の空気清浄機は、汚れ積算タイマーにより、ほこりセンサのレンズのメンテナンス時期に到達した場合のみ、照明装置を点灯するようにしたものである。
【００３０】
この手段により、メンテナンス作業を必要としない場合に照明装置が点灯することを防ぐことができ、誤操作を防止することができる空気清浄機が得られる。
【００３１】
また、本発明の空気清浄機は、照明装置の明るさを調整することができるボリュームスイッチを備えるようにしたものである。
【００３２】
この手段により、使用者が周囲の明るさや視力などを考慮し、使用者の見やすい明るさに調整することができ、メンテナンス作業が容易に行うことのできる空気清浄機が得られる。
【００３３】
また、本発明の空気清浄機は、手動で照明装置を点灯させることができるＯＮスイッチを備えるようにしたものである。
【００３４】
この手段により、使用者のタイミングでほこりセンサのメンテナンス作業を行うことができる空気清浄機が得られる。
【発明の効果】
【００３５】
本発明によれば、本体に設けた吸気口と、この吸気口から吸気した汚れ空気を清浄化する浄化装置と、この浄化装置に通風する送風装置と、発光素子と受光素子とレンズから構成され空気中の汚れ成分を検出するほこりセンサを備えた空気清浄機において、前記ほこりセンサのレンズを照らす照明装置と、本体の所定の状態を検知する状態検知手段とを設け、前記状態検知手段が所定の状態を検知したときに前記ほこりセンサのレンズを照らすようにしたことにより、ほこりセンサのメンテナンス作業時にほこりセンサのレンズを照らすことで、レンズの正確な位置とレンズの汚れ状態を見ることができ、メンテナンス作業が容易に行うことのできる空気清浄機が得られる。
【図面の簡単な説明】
【００３６】
【図１】本発明の実施の形態１の空気清浄機の外観斜視図
【図２】同空気清浄機のほこりセンサ収納部分の断面図
【図３】同フローチャート
【図４】本発明の実施の形態２の空気清浄機の外観斜視図
【図５】同空気清浄機のほこりセンサ収納部分の断面図
【図６】同ブロック図
【図７】同フローチャート
【図８】本発明の実施の形態３の空気清浄機の外観斜視図
【図９】同ブロック図
【図１０】同フローチャート
【図１１】本発明の実施の形態４のブロック図
【図１２】本発明の実施の形態５のブロック図
【図１３】同フローチャート
【図１４】本発明の実施の形態６のブロック図
【図１５】同フローチャート
【図１６】同フローチャート
【図１７】本発明の実施の形態７のブロック図
【図１８】従来の空気清浄機の一部破断の外観斜視図
【図１９】同ほこりセンサの構成図
【発明を実施するための形態】
【００３７】
本発明の請求項１記載の空気清浄機は、本体に設けた吸気口と、この吸気口から吸気した汚れ空気を清浄化する浄化装置と、この浄化装置に通風する送風装置と、発光素子と受光素子とレンズから構成され空気中の汚れ成分を検出するほこりセンサを備えた空気清浄機において、前記ほこりセンサのレンズを照らす照明装置と、本体の所定の状態を検知する状態検知手段とを設け、前記状態検知手段が所定の状態を検知したときに前記ほこりセンサのレンズを照らすようにしたものであり、状態検出手段が本体の所定の状態としてほこりセンサのメンテナンス作業時であることを検出して、ほこりセンサのレンズを照らすことで、レンズの正確な位置とレンズの汚れ状態を見ることができ、メンテナンス作業が容易に行うことができるという効果を有する。
【００３８】
また、本発明の請求項２記載の空気清浄機は、ほこりセンサカバーと、このほこりセンサカバーの着脱を検出するスイッチを備え、前記ほこりセンサカバーを外した場合に前記スイッチにより照明装置を点灯させるようにしたものであり、ほこりセンサのメンテナンス作業時にほこりセンサカバーをはずすことで、本体の所定の状態としてほこりセンサのメンテナンス作業時であることを検出して自動的にほこりセンサのレンズを照らすことができ、レンズの正確な位置とレンズの汚れ状態を見ることができ、メンテナンス作業が容易に行うことができるという効果を有する。
【００３９】
また、本発明の請求項３記載の空気清浄機は、本体の倒れを検出する転倒検出装置を備え、前記転倒検出装置が本体の倒れを検出した場合に前記転倒検出装置により照明装置を点灯させるようにしたものであり、本体の所定の状態としてほこりセンサのメンテナンス作業時に空気清浄機本体を倒して作業を行う状態を検出することで、自動的にほこりセンサのレンズを照らすことができ、レンズの正確な位置とレンズの汚れ状態を見ることができ、メンテナンス作業が容易に行うことができるという効果を有する。
【００４０】
また、本発明の請求項４記載の空気清浄機は、電池を備え、照明装置の電源を前記電池から供給するようにしたものであり、空気清浄機本体の電源プラグを抜いた状態においても、ほこりセンサのメンテナンス作業を行うことができるという効果を有する。
【００４１】
また、本発明の請求項５記載の空気清浄機は、電池は充電池とし、空気清浄機本体の運転中に前記充電池を充電するようにしたものであり、電池交換が無くなることでランニングコストを抑えることができるという効果を有する。
【００４２】
また、本発明の請求項６記載の空気清浄機は、ほこりセンサの電源電圧を検出する電圧検出装置を備え、ほこりセンサの電源が遮断されている場合に、照明装置を点灯可能とさせるようにしたものであり、ほこりセンサのメンテナンス作業による誤検知、誤動作を防止することができるという効果を有する。
【００４３】
また、本発明の請求項７記載の空気清浄機は、ほこりセンサの電源が通電されている場合は、照明装置を点滅させるようにしたものであり、ほこりセンサの通電を使用者が知ることができ、ほこりセンサのメンテナンス作業による誤検知、誤動作を防止することができるという効果を有する。
【００４４】
また、本発明の請求項８記載の空気清浄機は、照明装置の点灯時間は、状態検知手段が所定の状態を検知したときから一定時間のみ点灯するようにしたものであり、誤操作などメンテナンス作業を意図していない場合に照明装置が常時点灯し続けることを防ぐことができるという効果を有する。
【００４５】
また、本発明の請求項９記載の空気清浄機は、ほこりセンサのレンズのメンテナンス時期を決定する汚れ積算タイマーと、メンテナンス時期を知らせる報知装置を備えるようにしたものであり、使用者がほこりセンサのレンズのメンテナンス時期を容易に知ることができ、また汚れたレンズで運転されることによるほこりセンサの感度低下を防ぐことができるという効果を有する。
【００４６】
また、本発明の請求項１０記載の空気清浄機は、汚れ積算タイマーにより、ほこりセンサのレンズのメンテナンス時期に到達した場合のみ、照明装置を点灯するようにしたものであり、メンテナンス作業を必要としない場合に照明装置が点灯することを防ぐことができ、誤操作を防止することができるという効果を有する。
【００４７】
また、本発明の請求項１１記載の空気清浄機は、照明装置の明るさを調整することができるボリュームスイッチを備えるようにしたものであり、使用者が周囲の明るさや視力などを考慮し、使用者の見やすい明るさに調整することができ、メンテナンス作業が容易に行うことができるという効果を有する。
【００４８】
また、本発明の請求項１２記載の空気清浄機は、手動で照明装置を点灯させることができるＯＮスイッチを備えるようにしたものであり、使用者のタイミングでほこりセンサのメンテナンス作業を行うことができるという効果を有する。
【００４９】
以下、本発明の実施の形態について図面を参照しながら説明する。
【００５０】
（実施の形態１）
図１に示すように、空気清浄機の本体１は略箱形に形成され、本体１の側面には吸気口２を形成している。本体１内には空気を清浄化するための浄化装置としてのフィルター４と、このフィルター４に通風する送風装置としてのファンモーター３が備えられている。また、発光素子９と受光素子１０とレンズ１１から構成され空気中の汚れ成分を検出するほこりセンサ５が本体の下部の側面に開口して設けられ、この側面の内側にほこりセンサ５の外部から内部のレンズ１１に向けて光を照射して照らす照明装置としての白色ＬＥＤ６が備えられている。
【００５１】
また、図２に示すように、ほこりセンサ５と本体外郭との間に、本体の所定の状態として、ほこりセンサ５に清掃具８を入れた所定の状態、すなわち、ほこりセンサのメンテナンス作業時であるという状態を検出する状態検知手段としてのフォトインタラプタ７を設けている。
【００５２】
上記構成において、白色ＬＥＤ６の点灯／消灯制御について図３に示すフローチャートを用いて動作を説明する。
【００５３】
まず、Ｓ（ステップ）１で空気清浄機を運転することで、ほこりセンサ５は空気中の汚れ成分、ほこりなどを検出し、徐々にレンズ１１が汚れる（Ｓ２）。そして、レンズ１１が汚れることで、ほこりセンサ５のほこり検出感度が鈍くなり、低下する（Ｓ３）。そこで、ほこりセンサ５のレンズ１１を清掃する必要が生じ（Ｓ４）、ほこりセンサ５のレンズ１１を清掃するため、ほこりセンサ５に清掃具８を入れると状態検知手段のフォトインタラプタ７がメンテナンス作業の状態を検知し（Ｓ５）、白色ＬＥＤ６が点灯しレンズ１１を照らす（Ｓ６）。白色ＬＥＤ６により照らされることでレンズ１１の正確な位置や汚れ状態を見ることができるので、レンズ１１の清掃が容易に行うことができ（Ｓ７）、レンズをきれいにすることができる（Ｓ８）。
【００５４】
このようにほこりセンサ５のメンテナンス作業時にほこりセンサ５のレンズ１１を照らすことで、レンズ１１の正確な位置とレンズ１１の汚れ状態を見ることができ、メンテナンス作業を容易に行うことができる。
【００５５】
（実施の形態２）
本実施の形態は前記実施の形態１と制御方法が異なるのみであり、同一構成のものは同一番号を付して詳しい説明は省略する。
【００５６】
図４、図５に示すように、ほこりセンサ５を収納した本体外郭部にほこりセンサカバー１２を設け、本体の所定の状態として、このほこりセンサカバー１２が脱落されたことを検出する状態検知手段としてのほこりセンサカバー着脱検出スイッチ１３を本体内に設けている。すなわち、ほこりセンサのメンテナンス作業時であるという状態を検出する状態検知手段としてほこりセンサカバー着脱検出スイッチ１３を設けたものである。
【００５７】
上記構成において、図６に示すように、白色ＬＥＤ６と直列にほこりセンサカバー着脱検出スイッチ１３を接続し、電源を供給している。
【００５８】
次に、白色ＬＥＤ６の点灯／消灯制御について図７に示すフローチャートを用いて動作を説明する。
【００５９】
まず、Ｓ９で空気清浄機を運転することで、ほこりセンサ５は空気中の汚れ成分、ほこりなどを検出し、徐々にレンズ１１が汚れる（Ｓ１０）。そして、レンズ１１が汚れることで、ほこりセンサ５のほこり検出感度が鈍くなり、低下する（Ｓ１１）。そこで、ほこりセンサ５のレンズ１１を清掃する必要が生じ（Ｓ１２）、清掃のためにほこりセンサカバー１２を脱落したか否かをほこりセンサカバー着脱検出スイッチ１３が検出し（Ｓ１３）、ほこりセンサカバー１２が装着されている場合、Ｓ１４でほこりセンサカバー着脱検出スイッチ１３は状態がＯＦＦになり、Ｓ１５で白色ＬＥＤ６には電源が供給されないため、消灯状態となる。またＳ１３でほこりセンサカバー１２が装着されていない場合、すなわちほこりセンサ５のレンズ１１の清掃のため、ほこりセンサカバー１２を脱落した場合はＳ１６でほこりセンサカバー着脱検出スイッチ１３は状態がＯＮになり、Ｓ１７で白色ＬＥＤ６に電源が供給され、点灯しレンズ１１を照らす。Ｓ１８で白色ＬＥＤ６により照らされることでレンズ１１の正確な位置や汚れ状態を見ることができるので、レンズ１１の清掃が容易に行うことができる。
【００６０】
このようにほこりセンサ５のメンテナンス作業時にほこりセンサカバー１２をはずすことで、自動的にほこりセンサ５のレンズ１１を照らすことができ、レンズ１１の正確な位置とレンズ１１の汚れ状態を見ることができ、メンテナンス作業を容易に行うことができる。
【００６１】
（実施の形態３）
本実施の形態は前期実施の形態１あるいは２と制御方法が異なるのみであり、同一構成のものは同一番号を付して詳しい説明は省略する。
【００６２】
図８に示すように、空気清浄機の本体１内にこの本体１の所定の状態として倒れを検出する状態検知手段としての転倒検知スイッチ１４が備えられている。転倒検知スイッチ１４は本体が倒されたことを検知する転倒検出装置である。
【００６３】
すなわち、ほこりセンサのメンテナンス作業時であるという状態を検出する状態検知手段として転倒検知スイッチ１４を設けたものである。
【００６４】
上記構成において、図９に示すように、白色ＬＥＤ６と直列に転倒検知スイッチ１４を接続し、電源を供給している。
【００６５】
次に、白色ＬＥＤ６の点灯／消灯制御について図１０に示すフローチャートを用いて動作を説明する。
【００６６】
まず、Ｓ１９で空気清浄機を運転することで、ほこりセンサ５は空気中の汚れ成分、ほこりなどを検出し、徐々にレンズ１１が汚れる（Ｓ２０）。そして、レンズ１１が汚れることで、ほこりセンサ５のほこり検出感度が鈍くなり、低下する（Ｓ２１）。そこで、ほこりセンサ５のレンズ１１を清掃する必要が生じ（Ｓ２２）、清掃のために本体下部に収納されているほこりセンサ５のメンテナンス作業がし易いように、ほこりセンサ５が取り付けられている側を上にして本体１を床に寝かせる、すなわち本体１の下部の側面を上にして倒したか否かをＳ２３で転倒検知スイッチ１４が検出し、空気清浄機の本体１がメンテナンス作業により倒されている場合、Ｓ２４で転倒検知スイッチ１４は状態がＯＮになり、Ｓ２５で白色ＬＥＤ６に電源が供給され、点灯状態となりレンズ１１を照らす。Ｓ２６で白色ＬＥＤ６により照らされることでレンズ１１の正確な位置や汚れ状態を見ることができるので、レンズ１１の清掃が容易に行うことができる。またＳ２３で空気清浄機の本体１が倒れていない場合、Ｓ２７で転倒検知スイッチ１４は状態がＯＦＦになり、Ｓ２８で白色ＬＥＤ６には電源が供給されないため、消灯状態となる。
【００６７】
このようにほこりセンサ５のメンテナンス作業時に空気清浄機の本体１を倒して作業を行う状態を検出することで、自動的にほこりセンサ５のレンズ１１を照らすことができ、レンズ１１の正確な位置とレンズ１１の汚れ状態を見ることができ、メンテナンス作業を容易に行うことができる。
【００６８】
（実施の形態４）
本実施の形態は前期実施の形態１あるいは２と制御方法が異なるのみであり、同一構成のものは同一番号を付して詳しい説明は省略する。
【００６９】
図１１に示すように、空気清浄機の本体１内に充電池１５を備え、白色ＬＥＤ６の電源をこの充電池１５から供給する。また、充電池１５は空気清浄機の本体１の運転中に充電する。
【００７０】
このように白色ＬＥＤ６の電源を電池とすることで、空気清浄機の本体１の電源プラグを抜いた状態においても、ほこりセンサ５のメンテナンス作業を行うことができる。
【００７１】
また、充電池１５を空気清浄機の本体１の運転中に充電することで電池交換が無くなり、ランニングコストを抑えることができる。
【００７２】
（実施の形態５）
本実施の形態は前期実施の形態１あるいは２と制御方法が異なるのみであり、同一構成のものは同一番号を付して詳しい説明は省略する。
【００７３】
図１２に示すように、ほこりセンサ５の電源電圧を検出する電圧検出装置としてのマイクロコンピュータ１６を備え、マイクロコンピュータ１６は充電池１５からほこりセンサカバー着脱検出スイッチ１３と白色ＬＥＤ６への電源供給を制御する。
【００７４】
上記構成において、白色ＬＥＤ６の点灯／消灯制御について図１３に示すフローチャートを用いて動作を説明する。
【００７５】
まず、Ｓ２９でマイクロコンピュータ１６がほこりセンサ５の電源電圧を検出し、Ｓ３０でほこりセンサ５の電源が遮断されている場合、Ｓ３１でマイクロコンピュータ１６は充電池１５からの電源供給を常時ＯＮ状態とする。Ｓ３２でほこりセンサカバー着脱検出スイッチ１３がほこりセンサカバー１２の装着の有無を検出し、ほこりセンサカバー１２が装着されている場合、Ｓ３３でほこりセンサカバー着脱検出スイッチ１３は状態がＯＦＦになり、Ｓ３４で白色ＬＥＤ６には電源が供給されないため、消灯状態となる。またＳ３２でほこりセンサカバー１２が装着されていない場合、Ｓ３６でほこりセンサカバー着脱検出スイッチ１３は状態がＯＮになり、Ｓ３７で白色ＬＥＤ６に電源が供給され、点灯状態となる。またＳ３０でほこりセンサ５の電源が遮断されていない場合、つまり通電されている場合はＳ３５でマイクロコンピュータ１６は充電池１５からの電源供給をパルスＯＮ状態とする。Ｓ３８でほこりセンサカバー着脱検出スイッチ１３がほこりセンサカバー１２の装着の有無を検出し、ほこりセンサカバー１２が装着されている場合、Ｓ３９でほこりセンサカバー着脱検出スイッチ１３は状態がＯＦＦになり、Ｓ４０で白色ＬＥＤ６には電源が供給されないため、消灯状態となる。またＳ３８でほこりセンサカバー１２が装着されていない場合、Ｓ４１でほこりセンサカバー着脱検出スイッチ１３は状態がＯＮになるが、Ｓ３５で充電池１５からの電源供給がパルスＯＮ状態となっているため、Ｓ４２で白色ＬＥＤ６には電源がパルスで供給され、点滅状態となる。
【００７６】
このようにほこりセンサ５の通電を使用者が知ることができ、ほこりセンサ５のメンテナンス作業による誤検知、誤動作を防止することができる。
【００７７】
（実施の形態６）
本実施の形態は前期実施の形態１あるいは２と制御方法が異なるのみであり、同一構成のものは同一番号を付して詳しい説明は省略する。
【００７８】
図１４に示すように、ほこりセンサ５のレンズ１１のメンテナンス時期を決定する汚れ積算タイマーとしての不揮発性メモリのＥＥＰＲＯＭ１７と、メンテナンス時期を報知する報知装置としての表示部１８を備えている。
【００７９】
上記構成において、マイクロコンピュータ１６は状態検知手段としての転倒検知スイッチ１４からの信号を検知し、電源から転倒検知スイッチ１４と白色ＬＥＤ６への電源供給を制御する。また、ＥＥＰＲＯＭ１７からの汚れ積算タイマー信号を検知し、表示部１８にメンテナンス時期到達を表示する。
【００８０】
次に、白色ＬＥＤ６の点灯／消灯制御について図１５に示すフローチャートを用いて動作を説明する。
【００８１】
まず、Ｓ４３で転倒検知スイッチ１４が空気清浄機の本体１の倒れを検出し、空気清浄機の本体１がメンテナンス作業により倒されている場合、Ｓ４４で転倒検知スイッチ１４は状態がＯＮになり、Ｓ４５で転倒検知スイッチ１４からの状態ＯＮ信号を検知したマイクロコンピュータ１６がタイマーカウントを開始するとともに、Ｓ４６で白色ＬＥＤ６に電源が供給され、点灯状態となる。Ｓ４７でマイクロコンピュータ１６のタイマーカウントがＳ時間、例えばメンテナンス作業に要する時間、５分経過しているかを判断し、５分経過前の場合、白色ＬＥＤ６の点灯を継続し、５分経過した場合、Ｓ４８で白色ＬＥＤ６への電源供給を遮断し、消灯状態となる。Ｓ４９で転倒検知スイッチ１４からの状態ＯＮ信号が継続されず、つまり本体１が倒れた状態から復帰した場合、Ｓ５０で転倒検知スイッチ１４の状態がＯＦＦになり、Ｓ５１    でマイクロコンピュータ１６のタイマーカウントはリセットする。またＳ４３で本体１が倒れていない場合は、Ｓ５２で転倒検知スイッチ１４の状態はＯＦＦになり、Ｓ５３で白色ＬＥＤ６は消灯状態となる。
【００８２】
また、図１６に示すフローチャートを用いて動作を説明する。  
【００８３】
まず、Ｓ５４で汚れ積算タイマーのカウントを開始し、Ｓ５５でマイクロコンピュータ１６はＥＥＰＲＯＭ１７からの汚れ積算タイマー信号を検知し、メンテナンス時期に到達している場合、Ｓ５６で表示部１８にメンテナンス時期であることを表示する。Ｓ５７でマイクロコンピュータ１６は転倒検知スイッチ１４と白色ＬＥＤ６への電源供給をＯＮし、Ｓ５８で転倒検知スイッチ１４が空気清浄機の本体１の倒れを検出し、空気清浄機の本体１がメンテナンス作業により倒されている場合、Ｓ５９で転倒検知スイッチ１４は状態がＯＮになり、Ｓ６０で白色ＬＥＤ６に電源が供給され、点灯状態となる。Ｓ６１でメンテナンス完了し、Ｓ６２で汚れ積算タイマーのカウント時間をリセットする。またＳ５５でメンテナンス時期に到達していない場合は、マイクロコンピュータ１６は転倒検知スイッチ１４と白色ＬＥＤ６への電源供給をＯＦＦする。
【００８４】
このように誤操作などメンテナンス作業を意図していない場合に白色ＬＥＤ６が常時点灯し続けることを防ぐことができる。
【００８５】
また、使用者がほこりセンサ５のレンズ１１のメンテナンス時期を容易に知ることができ、また汚れたレンズ１１で運転されることによるほこりセンサ５の感度低下を防ぐことができる。
【００８６】
また、メンテナンス作業を必要としない場合に白色ＬＥＤ６が点灯することを防ぐことができ、誤操作を防止することができる。
【００８７】
なお、実施の形態６ではＳ時間として５分としたが、メンテナンス作業に要する時間を十分に確保できればよく、その作用効果に差異を生じない。
【００８８】
（実施の形態７）
本実施の形態は前期実施の形態１あるいは２と制御方法が異なるのみであり、同一構成のものは同一番号を付して詳しい説明は省略する。
【００８９】
図１７に示すように、電源から白色ＬＥＤ６への接続している間に可変抵抗であるボリュームスイッチ１９と、状態検知手段であるほこりセンサカバー着脱検出スイッチ１３と並列に手動で操作できるＯＮスイッチ２０を備える。
【００９０】
上記構成において、ボリュームスイッチ１９を操作することで、白色ＬＥＤ６への電流を可変でき、明るさを調整する。また、ＯＮスイッチ２０を操作することで、ほこりセンサカバー着脱検出スイッチ１３の状態に関わらず、白色ＬＥＤ６を点灯できる。
【００９１】
このように使用者が周囲の明るさや視力などを考慮し、使用者の見やすい明るさに調整することができ、メンテナンス作業を容易に行うことができる。
【００９２】
また、使用者のタイミングでほこりセンサ５のメンテナンス作業を行うことができる。
【産業上の利用可能性】
【００９３】
ほこりセンサのメンテナンス作業性を向上することができるので、ほこりセンサを備えた加湿空気清浄機や空気調和機にも適用できる。
【符号の説明】
【００９４】
１    本体
２    吸気口
３    ファンモーター（送風装置）
４    フィルター（浄化装置）
５    ほこりセンサ
６    白色ＬＥＤ（照明装置）
７    フォトインタラプタ（状態検知手段）
８    清掃具
９    発光素子
１０  受光素子
１１  レンズ
１２  ほこりセンサカバー
１３  ほこりセンサカバー着脱検出スイッチ
１４  転倒検知スイッチ（転倒検出装置）
１５  充電池
１６  マイクロコンピュータ
１７  ＥＥＰＲＯＭ（汚れ積算タイマー）
１８  表示部（報知装置）
１９  ボリュームスイッチ
２０  ＯＮスイッチ
【図１】
2011099603.tif 000003
【図２】
2011099603.tif 000004
【図３】
2011099603.tif 000005
【図４】
2011099603.tif 000006
【図５】
2011099603.tif 000007
【図６】
2011099603.tif 000008
【図７】
2011099603.tif 000009
【図８】
2011099603.tif 000010
【図９】
2011099603.tif 000011
【図１０】
2011099603.tif 000012
【図１１】
2011099603.tif 000013
【図１２】
2011099603.tif 000014
【図１３】
2011099603.tif 000015
【図１４】
2011099603.tif 000016
【図１５】
2011099603.tif 000017
【図１６】
2011099603.tif 000018
【図１７】
2011099603.tif 000019
【図１８】
2011099603.tif 000020
【図１９】
2011099603.tif 000021